(57)【特許請求の範囲】
【請求項１】
透明部分と半透明部分とがそれぞれ適宜の大きさで縦横格子状に形成された第１のプラスチックシートと、透明なカバーパネルと、透明部分と半透明部分とがそれぞれ適宜の大きさで斜め縦横格子状に形成された第２のプラスチックシートとを具備し、前記透明なカバーパネルに、その表面側に前記第1または第２のプラスチックシートを、裏面側に前記第２または第１のプラスチックシートを第1および第２のプラスチックシートの透明部分が部分的に重なり合うようにして貼り付け、光源ランプの直接光を、第１のプラスチックシートの透明部分と、透明なカバーパネルと、第２のプラスチックシートの透明部分とを通して照射するように構成してなることを特徴とする照明器具用カバーパネル。
【発明の詳細な説明】
【０００１】
【発明の属する技術分野】
本発明は、照明効率と明るさ感を高めた照明器具用カバーパネルに関する。
【０００２】
【従来の技術】
照明器具には、図７の説明図に示すように、内部に図示していない光源ランプやランプソケットおよび点灯回路等が収納される照明器具本体１と、この照明器具本体１に支持装着された光源ランプの光を照射する前面にカバーパネル２０を設けて構成されるものがある。カバーパネル２０は、照明器具本体１に装着された光源ランプからの不快グレアを小さくする等のために、通常は光を拡散する乳白色の半透明のパネルで形成され、全般拡散照明形の照明器具を構成している。
【０００３】
このように、不快グレアを小さくする等の理由によりカバーパネル２０を乳白色のパネルで形成すると、照明器具本体から照射される光量が減少し、照明効率が悪化するので、従来、次のような照明効率の悪化を防止するための手段が考慮されている。図８の説明図に示すものは、カバーパネル３０の表面長手方向に、乳白色の半透明部３１と透明部３２とを交互に直線状に形成している。
【０００４】
この透明部３２は、図９の説明図に示すように平坦状の乳白色の半透明部３１から光の照射方向に突出させて形成している。光源ランプの光は、乳白色の半透明部３１と透明部３２とから外部に照射されるが、透明部３２からは突出形成された部分から分光されて照射される。
【０００５】
図８に示したようなカバーパネル３０の表面長手方向に、乳白色の半透明部３１と透明部３２とを交互に直線状に形成するものにおいては、図７に示されたようなカバーパネル２０全体を乳白色の半透明のパネルで形成されるものよりも透明部３２を有することにより外部への照射光量が増大し、また、ランプからの直接光は分光されるのでグレアに対する影響も少なくすることができる。
【０００６】
図１０は従来例の別の構成の説明図である。図において、４０は乳白色の半透明カバーパネル、４１は透過穴である。この透過穴４１は、所定の間隔でカバーパネル４０の縦横方向にパンチング加工により形成される。このような透過穴４１を形成することにより、光源ランプの光はカバーパネル４０の乳白色部分と透過穴４１から照射されるが、透過穴４１を形成していることにより外部に照射される光量が増大して照明効率を改善している。また、光源ランプから照射される直接光の一部のみが透過穴４１から外部に取り出されるので、この場合にもグレアに対する影響を少なくすることができる。
【０００７】
【発明が解決しようとする課題】
カバーパネルを、図８、図１０のように構成することによりグレアの影響を少なくして照明効率を改善することが可能となるが、図８の構成のものでは、平坦状の乳白色の半透明部に透明部３１を突出形成するので機械加工が複雑となりコストが高くなるという問題があった。
【０００８】
また、図１０に示した構成も、半透明のカバーパネル４０に所定の間隔で縦横に多数の透過穴４１を形成するので、精密なパンチング加工が必要となり図８の構成のものと同様にコストが高くなるという問題があった。
【０００９】
本発明は、上記問題に鑑みてなされたものであり、不快グレアを制限しながら安価な構成で照明効率と明るさ感を高めた照明器具のカバーパネルの提供を目的とするものである。
【００１０】
【課題を解決するための手段】
本発明の上記目的は、照明器具用カバーパネルを、透明部分と半透明部分とがそれぞれ適宜の大きさで縦横格子状に形成された第１のプラスチックシートと、透明なカバーパネルと、透明部分と半透明部分とがそれぞれ適宜の大きさで斜め縦横格子状に形成された第２のプラスチックシートとを具備し、前記透明なカバーパネルに、その表面側に前記第1または第２のプラスチックシートを、裏面側に前記第２または第１のプラスチックシートを第1および第２のプラスチックシートの透明部分が部分的に重なり合うようにして貼り付け、光源ランプの直接光を、第１のプラスチックシートの透明部分と、透明なカバーパネルと、第２のプラスチックシートの透明部分とを通して照射するように構成することにより達成される。
【００１１】
本発明の上記特徴によれば、照明器具から照射される光量が増大し、照明効率を高めることができる。また、光源ランプからの直接光は一部のみが外部に取り出されるので不快グレアの発生が抑制されるとともに、光源を視認することにより明るさ感を高めることができる。
【００１２】
【発明の実施の形態】
以下、本発明に係る実施の形態について図１の説明図を参照して説明する。図において１は内部に図示していない光源ランプやランプソケットおよび点灯回路等が収納される照明器具本体、２は透明のパネルで形成されているカバーパネル、Ａ，Ｂは、それぞれカバーパネル２の外側および内側に貼付られる乳白色の半透明部分と透明部分とが交互に格子状に形成されているプラスチックシートである。
【００１３】
図２〜図４は、図１のカバーパネル２のＸ部分についての部分説明図である。図２はプラスチックシートＡの構成の説明図である。図において、斜線部分は半透明部分、白抜きの部分は透明部分を表している。図に示されたように、半透明部分と透明部分とはそれぞれ正方形状で交互に格子状に形成されている。
【００１４】
図３はプラスチックシートＢの構成の説明図である。この例ではプラスチックシートＡとは半透明部分と透明部分との大きさを変え、その配置関係を４５度回転させて、斜線部分の半透明部分と白抜きの透明部分とは交互に斜め格子状に形成されている。
【００１５】
図４は、透明のカバーパネル２の光源ランプ側となる内側にプラスチックシートＢを、外側にプラスチックシートＡを貼付けた例の断面図である。プラスチックシートＡには図２の３段目を参照すると透明部ａ，ｃ，ｅ．ｇと半透明部ｂ，ｄ，ｆとは交互に形成されている。また、プラスチックシートＢには、図３の３段目を参照すると半透明部ｏ、ｑと透明部ｐ，ｒとは交互に形成されている。
【００１６】
このようなプラスチックシートＡとプラスチックシートＢとを透明のカバーパネル２の両面に貼付けると、光源ランプの光は、プラスチックシートＢ−透明のカバーパネル２−プラスチックシートＡを通して照射される。光源ランプからの光は、大部分はプラスチックシートＡ、Ｂにより全体として半透明に構成されたカバーパネル２から照射されるが、この中で直接光はプラスチックシートＢの透明部分とプラスチックシートＡの透明部分がカバーパネル２の垂直方向で重なる部分からのみ照射されるので、照明効率は改善されつつ不快グレアを抑制することができる。
【００１７】
図５、図６は上記のような光源ランプからの直接光の照射についての説明図である。図５は図４のプラスチックシートＢの透明部ｐとプラスチックシートＡの透明部ｃが垂直方向に重なり合い透明のカバーパネル２を通して光源ランプからの直接光の通路ｕ１が形成されている例を説明している。また、図６は図４のプラスチックシートＢの透明部ｒとプラスチックシートＡの透明部ｇが垂直方向に重なり合い透明のカバーパネル２を通して光源ランプからの直接光ｕ２の通路が形成されていることを説明している。このような直接光の通路を通して光源ランプを視認できるので明るさ感を高めることができる。
【００１８】
光源ランプからプラスチックシートＢ−透明のカバーパネル２−プラスチックシートＡを通して照射される直接光の割合は、プラスチックシートＡ、Ｂに形成される透明部と半透明部との大きさや形状に応じて、透明のカバーパネル２を介在して垂直方向に重なり合う両者の透明部分の面積を選定することにより調整される。
【００１９】
したがって、プラスチックシートＡ、プラスチックシートＢに形成される半透明部と透明部との形状や大きさの関係は、図２、図３に示された構成に限定されるものではなく、半透明部と透明部との一方を長方形や円形としても良く、要するに、光源ランプからの光が、大部分はプラスチックシートＡ、Ｂにより全体として半透明に構成されたカバーパネル２から照射されるが、直接光は透明のカバーパネルの表裏両面に貼付けられているプラスチックシートＡ，Ｂの透明部分と透明パネルとを通して、部分的に照射されるように構成されていれば良い。
【００２０】
プラスチックシートＡ、Ｂは例えば薄いプラスチックフィルムにシルク印刷することにより形成できる。両者の透明部分と半透明部分の大きさ、形状、間隔等は、光源ランプから照射される光の中で必要とされる直接光の光量に応じて電子計算機を用いることにより簡単に設定できる。実際のプラスチックシートＡ，Ｂの取り付けは、一方プラスチックシートを透明のカバーパネルに貼り付けてからその貼り付けの位置を基準にして、他方のプラスチックシートを貼り付ければ良い。また、光源ランプとしては放電灯の他に白熱ランプを取り付ける構成としても良い。
【００２１】
【発明の効果】
以上のように、本発明の照明器具用のカバーパネルは、透明部分と半透明部分とがそれぞれ適宜の大きさと形状で格子状に形成された第１のプラスチックシートと、透明なカバーパネルと、透明部分と半透明部分とのそれぞれの大きさと形状の少なくとも一方を前記第１のプラスチックシートとは異なるように格子状に形成された第２のプラスチックシートとを具備し、透明なカバーパネルの表裏両面に前記第１、第２のプラスチックシートを透明部分が部分的に重なり合うようにして貼り付け、光源ランプの直接光が、第１のプラスチックシートの透明部分と、透明なカバーパネルと、第２のプラスチックシートの透明部分とを通して照射されるように構成されている。このため、照明器具から照射される光量が増大し、照明効率を高めることができる。また、光源ランプからの直接光は一部のみが外部に取り出されるので不快グレアの発生が抑制されるとともに、光源を視認することにより明るさ感を高めることができる。
【図面の簡単な説明】
【図１】本発明に係る照明器具用カバーパネルの好適な実施の形態における構成を示す説明図である。
【図２】本発明の実施の形態における構成を示す説明図である。
【図３】本発明の実施の形態における構成を示す説明図である。
【図４】本発明の実施の形態における構成を示す説明図である。
【図５】本発明の実施の形態における構成を示す説明図である。
【図６】本発明の実施の形態における構成を示す説明図である。
【図７】従来例の説明図である。
【図８】従来例の説明図である。
【図９】従来例の説明図である。
【図１０】従来例の説明図である。
【符号の説明】
１      照明器具本体
２      カバーパネル
Ａ，Ｂ  プラスチックシート
【図１】
0003919884.tif 000002
【図２】
0003919884.tif 000003
【図３】
0003919884.tif 000004
【図４】
0003919884.tif 000005
【図５】
0003919884.tif 000006
【図６】
0003919884.tif 000007
【図７】
0003919884.tif 000008
【図８】
0003919884.tif 000009
【図９】
0003919884.tif 000010
【図１０】
0003919884.tif 000011